(57)【要約】【課題】高速ダビング時に、録音元の記録媒体に記録された音声データの全てを聞くことができるデータ記録再生方法を提供する。【解決手段】２つの記録媒体の一方１１７から他方１０８へ音声データの録音を行うデータ記録再生方法であって、録音元の記録媒体１１７に記録された音声データを録音先の記録媒体１０８に記録する際に、録音元の記録媒体１１７から読み出した一定量の音声データを圧縮処理している間の書き込み待ち時間を利用して、録音先の記録媒体１０８から、先に録音した記録済みの一定量の音声データを読み出して一時記録媒体１０２に記録し、その一時記録媒体１０２に記録された音声データをその音声データ固有の読み出し速度で読み出して音声再生する。【選択図】図１
2005078729.tif 000002
【特許請求の範囲】
【請求項１】
２つの記録媒体の一方から他方へ音声データの録音を行うデータ記録再生方法であって、録音元の記録媒体に記録された音声データを録音先の記録媒体に記録する際に、録音元の記録媒体から読み出した一定量の音声データを圧縮処理している間の書き込み待ち時間を利用して、録音先の記録媒体から、先に録音した記録済みの一定量の音声データを読み出して一時記録媒体に記録し、その一時記録媒体に記録された音声データをその音声データ固有の読み出し速度で読み出して音声再生することを特徴とするデータ記録再生方法。
【請求項２】
２つの記録媒体の一方から他方へ音声データの録音を行うデータ記録再生プログラムであって、録音元の記録媒体から一定量の音声データを読み出す音声データ読み出し処理と、読み出された一定量の音声データを圧縮する圧縮処理と、一定量の前記音声データが圧縮されている間に、録音先の記録媒体から、先に録音した記録済みの一定量の音声データを読み出して一時記録媒体に記録する音声データ記録処理と、前記一時記録媒体に記録された音声データをその音声データ固有の読み出し速度で読み出して音声再生する音声再生処理と、を含み、コンピュータに前記各処理を実行させることを特徴とするデータ記録再生プログラム。
【請求項３】
２つの記録媒体の一方から他方へ音声データの録音を行うデータ記録再生装置であって、録音元の記録媒体から一定量の音声データを読み出す音声データ読み出し手段と、読み出された一定量の音声データを圧縮する圧縮手段と、一定量の前記音声データが圧縮されている間に、録音先の記録媒体から、先に録音した記録済みの一定量の音声データを読み出して一時記録媒体に記録する音声データ記録手段と、前記一時記録媒体に記録された音声データをその音声データ固有の読み出し速度で読み出して音声再生する音声再生手段と、を具備することを特徴とするデータ記録再生装置。
【発明の詳細な説明】
【技術分野】
【０００１】
本発明は、２つの記録媒体の一方から他方へ音声データの録音を行うデータ記録再生方法及びデータ記録再生装置に関し、特に録音中の音声をモニタできるようにしたデータ記録再生方法及びデータ記録再生装置に関する。
【背景技術】
【０００２】
従来、２つの記録媒体の一方から他方へ音声データのダビングが可能なデータ記録再生装置が提案されている。この種のデータ記録再生装置には、再生側で高速再生を行い、記録側で高速録音を行うことができる所謂高速ダビング機能を備えたものがある（例えば、特許文献１参照）。
【０００３】
ところで、高速ダビングを行うことで、一方の記録媒体から高速に音声データを読み出すことになるため、再生出力される音声が音程の高くなった音声となるため、録音内容を確認し難くなる。また、ＣＤ（Compact Disk）からＭＤ（Mini Disk）へ高速ダビングを行う場合にはＭＤの規格上高速で音声出力ができないため、高速ダイビング時は無音になってしまい、録音内容を聞くことができない。
【０００４】
上記特許文献１で開示された技術では、一方の記録媒体から読み出した音声データを記憶手段に一時的に蓄積しながら他方の記録媒体の記録手段に供給するようにして、一方の記録媒体から他方の記録媒体へ音声データのダビングを行っている最中に、各時点で記憶手段に記憶されている音声データのうちから選択した所定量の音声データを、出力音声の音程が略本来の音程となるタイミングで読み出して音声出力するようにして、録音内容の確認を容易にしている。
【０００５】
【特許文献１】特開平０９−０６３１９１号公報（第５頁〜第８頁、図４）
【発明の開示】
【発明が解決しようとする課題】
【０００６】
しかしながら、上述した特許文献１で開示された技術においては、記憶手段に蓄積した音声データのうちから選択した所定量の音声データを、出力音声の音程が略本来の音程となるタイミングで読み出して音声出力するようにしているため、全ての音声データを聞くことができないという問題がある。
【０００７】
本発明は、係る点に鑑みてなされたものであり、高速ダビング時に、録音元の記録媒体に記録された音声データの全てを聞くことができるデータ記録再生方法及びデータ記録再生装置を提供することを目的とする。
【課題を解決するための手段】
【０００８】
上記課題を解決するために、請求項１に係る発明のデータ記録再生方法は、２つの記録媒体の一方から他方へ音声データの録音を行うデータ記録再生方法であって、録音元の記録媒体に記録された音声データを録音先の記録媒体に記録する際に、録音元の記録媒体から読み出した一定量の音声データを圧縮処理している間の書き込み待ち時間を利用して、録音先の記録媒体から、先に録音した記録済みの一定量の音声データを読み出して一時記録媒体に記録し、その一時記録媒体に記録された音声データをその音声データ固有の読み出し速度で読み出して音声再生することを特徴とする。
【０００９】
この方法によれば、録音元の記録媒体から読み出した一定量の音声データを圧縮処理している間の書き込み待ち時間を利用して、先に録音した記録済みの一定量の音声データを読み出して音声再生し、この処理を録音元の記録媒体から一定量の音声データを読み出すごとに行うので、録音元の記録媒体に記録された音声データの全てを聞くことができ、しかも、一時記録媒体に記録された音声データをその音声データ固有の読み出し速度で読み出すので、録音元の記録媒体からの音声データの読み出し速度に依存せず、その音声データ固有の読み出し速度でモニタ音を聞くことができる。
【００１０】
また、請求項２に係る発明のデータ記録再生プログラムは、２つの記録媒体の一方から他方へ音声データの録音を行うデータ記録再生プログラムであって、録音元の記録媒体から一定量の音声データを読み出す音声データ読み出し処理と、読み出された一定量の音声データを圧縮する圧縮処理と、一定量の前記音声データが圧縮されている間に、録音先の記録媒体から、先に録音した記録済みの一定量の音声データを読み出して一時記録媒体に記録する音声データ記録処理と、前記一時記録媒体に記録された音声データをその音声データ固有の読み出し速度で読み出して音声再生する音声再生処理と、を含み、コンピュータに前記各処理を実行させることを特徴とする。
【００１１】
このプログラムによれば、録音元の記録媒体から読み出した一定量の音声データを圧縮処理している間に、先に録音した記録済みの一定量の音声データを録音先の記録媒体から読み出して音声再生し、この処理を録音元の記録媒体に記録された音声データの全てに対して行うので、録音元の記録媒体に記録された音声データの全てを聞くことができ、しかも、一時記録媒体に記録された音声データをその音声データ固有の読み出し速度で読み出すので、録音元の記録媒体からの音声データの読み出し速度に依存せず、その音声データ固有の読み出し速度でモニタ音を聞くことができる。
【００１２】
また、請求項３に係る発明のデータ記録再生装置は、２つの記録媒体の一方から他方へ音声データの録音を行うデータ記録再生装置であって、録音元の記録媒体から一定量の音声データを読み出す音声データ読み出し手段と、読み出された一定量の音声データを圧縮する圧縮手段と、一定量の前記音声データが圧縮されている間に、録音先の記録媒体から、先に録音した記録済みの一定量の音声データを読み出して一時記録媒体に記録する音声データ記録手段と、前記一時記録媒体に記録された音声データをその音声データ固有の読み出し速度で読み出して音声再生する音声再生手段と、を具備することを特徴とする。
【００１３】
この構成によれば、録音元の記録媒体から読み出した一定量の音声データを圧縮処理している間に、先に録音した記録済みの一定量の音声データを録音先の記録媒体から読み出して音声再生し、この処理を録音元の記録媒体に記録された音声データの全てに対して行うので、録音元の記録媒体に記録された音声データの全てを聞くことができ、しかも、一時記録媒体に記録された音声データをその音声データ固有の読み出し速度で読み出すので、録音元の記録媒体からの音声データの読み出し速度に依存せず、その音声データ固有の読み出し速度でモニタ音を聞くことができる。
【発明の効果】
【００１４】
本発明によれば、録音元の記録媒体から読み出した一定量の音声データを圧縮処理している間に、録音先の記録媒体に記録済みの前回の音声データを読み出して音声再生し、この処理を録音元の記録媒体に記録された音声データの全てに対して行うので、録音元の記録媒体に記録された音声データの全てを聞くことができ、しかも、一時記録媒体に記録された音声データをその音声データ固有の読み出し速度で読み出すので、録音元の記録媒体からの音声データの読み出し速度に依存せず、その音声データ固有の読み出し速度でモニタ音を聞くことができる。
【発明を実施するための最良の形態】
【００１５】
以下、本発明を実施するための最良の形態について、図面を参照して詳細に説明する。
【００１６】
図１は、本発明の一実施の形態に係るデータ記録再生装置の構成を示すブロック図である。図１において、本実施の形態に係るデータ記録再生装置は、キー入力部１００と、ＥＥＰＲＯＭ（Electrically Erasable PROM）１０１と、ＲＡＭ（Random Access Memory）１０２と、マイクロコンピュータ１０３と、サーボコントローラ／デコーダ１０４と、Ｄ／Ａ変換器１０５と、アンプ１０６と、スピーカ１０７と、スピンドルモータ１０９と、ピックアップ１１０と、ＲＦアンプ１１１と、トラバースモータ１１２と、ＲＡＭ（Random Access Memory）１１３と、サーボコントローラ／エンコーダ１１４と、磁気ヘッド１１５と、スイッチ１１６とを備えて構成される。なお、以下の説明において、圧縮された音声データを圧縮音声データと呼ぶことにする。
【００１７】
キー入力部１００は、使用者が本装置の操作に係る各種入力を行うものであり、例えば録音キー、再生キーを有している。ＥＥＰＲＯＭ１０１は、電源をオフしても記憶内容が消えることのない不揮発性メモリであり、本装置の動作を司る制御プログラムを記憶する。ＲＡＭ（一時記録媒体）１０２は、ＭＤ等の光磁気ディスク１０８から読み出された圧縮音声データを記憶する。マイクロコンピュータ１０３は、ＥＥＰＲＯＭ１０１が記憶している制御プログラムに従って装置各部を制御する。サーボコントローラ／デコーダ１０４は、光磁気ディスク１０８から読み出された圧縮音声データの伸長を行って音声データを出力する他に、ピックアップ１１０を光磁気ディスク１０８に追従させる制御や光磁気ディスク１０８の回転制御を行う。
【００１８】
Ｄ／Ａ変換器１０５は、サーボコントローラ／デコーダ１０４から出力された伸張処理済みの音声データをアナログ信号に変換して出力する。アンプ１０６は、Ｄ／Ａ変換器１０５から出力されたアナログ信号をスピーカ１０７から音声出力できるレベルまで増幅して出力する。スピーカ１０７は、アンプ１０６から出力されたアナログ信号の音声出力を行う。
【００１９】
スピンドルモータ１０９は、光磁気ディスク１０８を回転駆動するもので、サーボコントローラ／デコーダ１０４から出力される回転速度信号に応じた回転数で回転する。ピックアップ１１０は、光磁気ディスク１０８に記録された圧縮音声データを読み取り、圧縮音声データ信号として出力する。ＲＦアンプ１１１は、ピックアップ１１０から出力された圧縮音声データ信号を所定のレベルまで増幅して出力する。トラバースモータ１１２は、サーボコントローラ／デコーダ１０４の制御によって、ピックアップ１１０を光磁気ディスク１０８の内外周方向へ移動させる。ＲＡＭ１１３は、他メディア（例えばＣＤ、ＭＤ、ＴＡＰＥ）１１７から読み出されて入力された圧縮音声データを記憶する。
【００２０】
サーボコントローラ／エンコーダ１１４は、他メディア１１７からの音声データの圧縮や、ピックアップ１１０と磁気ヘッド１１５を光磁気ディスク１０８に追従させるための制御を行う。磁気ヘッド１１５は、ＲＡＭ１１３からの圧縮音声データの光磁気ディスク１０８への書き込みを行う。スイッチ１１６は、圧縮音声データの記録と再生の切り替えを行うものである。
【００２１】
次に、上記構成のデータ記録再生装置の動作について説明する。図２は、上記構成のデータ記録再生装置における音声データ記録処理を示すフローチャートである。また、図３は上記構成のデータ記録再生装置における音声データ記録時のＲＡＭ１０２及びＲＡＭ１１３の蓄積状態の推移を示すタイミングチャートである。
【００２２】
まず、使用者がキー入力部１００の録音キーの操作を行うと、サーボコントローラ／エンコーダ１１４が他メディア１１７に記録された音声データの読み取りを開始する（ステップＳＴ２０１）。そして、サーボコントローラ／エンコーダ１１４は、読み取った音声データを圧縮（この処理には符号化も含まれる）する（ステップＳＴ２０２）。そして、圧縮した音声データすなわち圧縮音声データをＲＡＭ１１３に書き込む（ステップＳＴ２０３）。次いで、ＲＡＭ１１３に所定量の圧縮音声データを蓄積できたかどうかを判定し（ステップＳＴ２０４）、所定量の圧縮音声データの蓄積ができていない場合はステップＳＴ２０３に戻り、所定量の圧縮音声データの蓄積ができた場合はＲＡＭ１１３から所定量の圧縮音声データを読み出して、スイッチ１１６、ＲＦアンプ１１１を経由して磁気ヘッド１１５に入力し、光磁気ディスク１０８の空きエリアに書き込む（ステップＳＴ２０５）。
【００２３】
そして、所定量の圧縮音声データの光磁気ディスク１０８への書き込みが終了したかどうかを判定し（ステップＳＴ２０６）、光磁気ディスク１０８への書き込みが終了していない場合はステップＳＴ２０５に戻り、書き込みが終了した場合は光磁気ディスク１０８への書き込みを停止し（ステップＳＴ２０７）、更にピックアップ１１０の移動を停止させる（図３で状態Ｔ１）。ＲＡＭ１１３に蓄積した所定量の圧縮音声データを光磁気ディスク１０８に書き込んだ後、再度、他メディア１１７から所定量の音声データを読み出して圧縮し、圧縮後の音声データをＲＡＭ１１３に書き込む。この間、光磁気ディスク１０８への書き込み停止状態となる（図３で状態Ｔ２）。
【００２４】
一方、サーボコントローラ／エンコーダ１１４が他メディア１１７から次の所定量の音声データを読み出して、それを圧縮してＲＡＭ１１３に蓄積する処理を行っている状態（図３でＴ２）にある時、サーボコントローラ／デコーダ１０４が光磁気ディスク１０８に書き込まれた前回の圧縮音声データをピックアップ１１０にて読み出してＲＡＭ１０２に書き込む（図３で状態Ｔ６）。また、前回の圧縮音声データのＲＡＭ１０２への書き込み開始とともに、ＲＡＭ１０２から当該データを読み出して伸張し、伸張した音声データをその音声データ固有の読み出し速度で読み出して音声出力を開始する（ステップＳＴ２０８）。
【００２５】
そして、所定量の圧縮音声データのＲＡＭ１０２への書き込みが終了したかどうかを判定し（ステップＳＴ２０９）、所定量の圧縮音声データの書き込みが終了していない場合はステップＳＴ２０８に戻り、所定量の圧縮音声データの書き込みが終了した場合は光磁気ディスク１０８からの圧縮音声データの読み出しを停止し（ステップＳＴ２１０）、またＲＡＭ１０２からの圧縮音声データの読み出し及び伸張を継続して行い、モニタ音の出力を継続する（ステップＳＴ２１１）。すなわち、光磁気ディスク１０８からの圧縮音声データの読み出しに対して、圧縮音声データの伸張及び音声データ固有の読み出し速度での読み出し時間の遅れがあるので、ＲＡＭ１０２からの圧縮音声データの読み出し及び伸張を継続して行う（図３で状態Ｔ７）。
【００２６】
そして、サーボコントローラ／デコーダ１０４が、圧縮音声データのＲＡＭ１０２への書き込みを停止し、音声のモニタ出力状態にある時（図３の状態Ｔ８）、サーボコントローラ／エンコーダ１１４がＲＡＭ１１３に蓄積した圧縮音声データを、スイッチ１１６、ＲＦアンプ１１１、磁気ヘッド１１５を経由して光磁気ディスク１０８の空きエリアに書き込む（ステップＳＴ２０５と同等）。以後、他メディア１１７に記録された全ての音声データを読み終えるまで、同様の処理を繰り返す。
【００２７】
このように、本実施の形態に係るデータ記録再生装置によれば、他メディア１１７から読み出した一定量の音声データを圧縮処理している間すなわちディスク書き込み待ち時間に、光磁気ディスク１０８に記録済みの前回の音声データを読み出し伸張して音声出力し、この処理を他メディア１１７に記録された音声データの全てに対して行うので、他メディア１１７に記録された音声データの全てを聞くことができ、しかも、ＲＡＭ１０２に書き込まれた音声データをその音声データ固有の読み出し速度で読み出すので、他メディア１１７からの音声データの読み出し速度に依存せず、その音声データ固有の読み出し速度でモニタ音を聞くことができる。
【００２８】
なお、上記実施の形態に係るデータ記録再生装置は、記録媒体として光磁気ディスク（ＭＯ）１０８を扱うものであったが、本発明は、カセットテープ、ＤＡＴ（Digital Audio Tape）、ＣＤ−Ｒ（CD-Recordable）、ＣＤ−ＲＷ（CD-Rewritable）、ＤＶＤ−ＲＡＭ（Digital Versatile Disk-Random Access Memory）、ＤＶＤ−Ｒ（DVD-Recordable）、ＤＶＤ−ＲＷ（DVD-Rewritable）などを扱うデータ記録再生装置にも勿論適用することができる。
【産業上の利用可能性】
【００２９】
本発明は、録音元の記録媒体に記録された音声データの全てを聞くことができるといった効果を有し、カセットテープ、ＤＡＴ、ＣＤ−Ｒ、ＣＤ−ＲＷ、ＤＶＤ−ＲＡＭ、ＤＶＤ−Ｒ、ＤＶＤ−ＲＷなどの記録媒体を扱うデータ記録再生装置に適用が可能である。
【図面の簡単な説明】
【００３０】
【図１】本発明の実施の形態に係るデータ記録再生装置の構成を示すブロック図である。
【図２】本発明の実施の形態に係るデータ記録再生装置における音声データ記録処理を示すフローチャートである。
【図３】本発明の実施の形態に係るデータ記録再生装置における音声データ記録時のメモリ蓄積状態の推移を示すタイミングチャートである。
【符号の説明】
【００３１】
１００  キー入力部
１０１  ＥＥＰＲＯＭ
１０２、１１３  ＲＡＭ
１０３  マイクロコンピュータ
１０４  サーボコントローラ／デコーダ
１０５  Ａ/Ｄ変換器
１０６  アンプ
１０７  スピーカ
１０８  光磁気ディスク
１０９  スピンドルモータ
１１０  ピックアップ
１１１  ＲＦアンプ
１１２  トラバースモータ
１１４  サーボコントローラ／エンコーダ
１１５  磁気ヘッド
１１６  スイッチ
１１７  他メディア
【図１】
2005078729.tif 000003
【図２】
2005078729.tif 000004
【図３】
2005078729.tif 000005